(57)【要約】【課題】  従来不可能・困難とされていたガラス窓の結露により生ずる水滴を除去する。  【解決手段】  筒体にフィルムシートを装着してなる回動自在の器具を窓枠に取付けガラス窓の内側に温度差で発生する結露の水滴を防止することを特徴とするガラス窓結露防止方法であり、また筒体の上下面に座金及びストッパー付のボルトを取付けた筒体にフィルムシートを着装し、該フィルムシート付の筒体を回動してフィルムシートの左右往復移動を可能にしてなることを特徴とするガラス窓結露防止器具の提供。【選択図】  図１
2006283511.tif 000002
【特許請求の範囲】
【請求項１】
筒体にフィルムシートを装着してなる回動自在の器具を窓枠に取付け、ガラス窓の内側に温度差で発生する結露の水滴を防止することを特徴とするガラス窓結露防止方法
【請求項２】
請求項１記載の結露防止方法において、フィルムシートをガラス窓に密着させかつ左右に移動させ、結露により生ずる水滴を防止する請求項１記載のガラス窓結露防止方法。
【請求項３】
筒体の上下面に座金及びストッパー付のボルトを取付けた筒体にフィルムシートを着装し、該フィルムシート付の筒体を回動してフィルムシートの左右往復移動を可能にしてなることを特徴とするガラス窓結露防止器具。
【請求項４】
請求項３記載の結露防止器具において、器具本体に装着されているフィルムシートをガラス窓の内側へ密着状態に被覆し、かつ左右に移動させる請求項３記載のガラス窓結露防止器具。
【請求項５】
請求項３記載の結露防止器具において、器具本体に取付られているボルトを調整して窓枠の上下に器具本体を固着し、かつ着脱を自在にしてなる請求項３記載のガラス窓結露防止器具。
【請求項６】
請求項３記載の結露防止器具において、器具本体のフィルムシートに防犯ブザーを取付け、かつガラス窓との着脱を自在してなる請求項３記載のガラス窓結露防止器具。
【発明の詳細な説明】
【技術分野】
【０００１】
本発明は結露防止に関するが、詳しくは内外室の温度差により室内側のガラス窓に生ずる水滴を除去するガラス窓専用の結露防止方法とその防止器具に関するものである。
【背景技術】
【０００２】
北海道などの寒冷地方における冬場は、外気温が−３０℃位になると室内温度が３０℃以上になるためガラス窓は常時結露現象で水滴が生ずることになる。現在、このようなガラス窓に生ずる結露防止方法はなく、ガラス窓に生ずる水滴は常時床下に落下するか、あるいはカーテンに付着したりなどして室内の管理面で不都合が生じていた。
【発明の開示】
【発明が解決しようとする課題】
【０００３】
このような従来に生じていた不都合を解決するところに、本発明が解決しようとする課題を有する。すなわち、本発明の解決課題は部屋の内側に結露で生ずる水滴をフィルムシートを介して除去するところにある。
【課題を解決するための手段】
【０００４】
本発明は上記の如き課題を解決するために開発したものであって、筒体にフィルムシートを装着してなる回動自在の器具を窓枠に取付けガラス窓の内側に温度差で発生する結露の水滴を防止することを特徴とするガラス窓結露防止方法及び、前記結露防止方法においてフィルムシートをガラス窓に密着させかつ左右に移動させ結露により生ずる水滴を防止するガラス窓結露防止方法の提供にある。
【０００５】
また、本発明は筒体の上下面に座金及びストッパー付のボルトを取付けた筒体にフィルムシートを着装し、該フィルムシート付の筒体を回動してフィルムシートの左右往復移動を可能にしてなることを特徴とするガラス窓結露防止器具の提供にあり、また前記結露防止器具において器具本体に装着されているフィルムシートをガラス窓の内側へ密着状態に被覆しかつ左右に移動させるガラス窓結露防止器具の提供にあり、また前記の結露防止器具において器具本体に取付られているボルトを調整して窓枠の上下に器具本体を固着しかつ着脱を自在にしてなるガラス窓結露防止器具の提供にあり、更に前記の結露防止器具において器具本体のフィルムシートに防犯ブザーを取付けかつガラス窓との着脱を自在してなるガラス窓結露防止器具の提供にある。
【発明の効果】
【０００６】
本発明は、筒体にフィルムシートを装着してなる回動自在の器具を窓枠に取付けガラス窓の内側に温度差で発生する結露の水滴を防止することを特徴とするガラス窓結露防止方法であり、また前記の結露防止方法においてフィルムシートをガラス窓に密着させかつ左右に移動させ結露により生ずる水滴を防止するガラス窓結露防止方法であるから、従来のガラス窓の結露で生ずる水滴を常に除去することができる。
【０００７】
また、本発明は筒体の上下面に座金及びストッパー付のボルトを取付けた筒体にフィルムシートを着装し、該フィルムシート付の筒体を回動してフィルムシートの左右往復移動を可能にしてなることを特徴とするガラス窓結露防止器具であり、また前記の結露防止器具において器具本体に装着されているフィルムシートをガラス窓の内側へ密着状態に被覆しかつ左右に移動させるガラス窓結露防止器具であり、また前記の結露防止器具において器具本体に取付られているボルトを調整して窓枠の上下に器具本体を固着しかつ着脱を自在にしてなるガラス窓結露防止器具であり、また前記の結露防止器具において器具本体のフィルムシートに防犯ブザーを取付けかつガラス窓との着脱を自在してなるガラス窓結露防止器具であるから、従来不可能とされていたガラス窓の結露で生ずる水滴を簡便な器具で簡単容易に除去することができる。更に、本発明には次のような具体的な多くの効果がある。
ア、本発明によれば、ガラス窓の内側に発生する水滴を窓全面をフィルムシートでおおい  、ガラスやアルミ窓フレームに取られる熱を抑えて水滴を削減及び除去することが可能  となる。
イ、また本発明によれば、外部からの侵入者が窓を開けてフィルムにふれると防犯ブザー  が鳴るので防犯効果も有する。
ウ、更に、フィルムに色・絵・柄などを入れてカーテンとして応用することもできる。
【発明を実施するための最良の形態】
【０００８】
本発明の最良な実施形態は、筒体にフィルムシートを装着してなる回動自在の器具を窓枠に取付けガラス窓の内側に温度差で発生する結露の水滴を防止することを特徴とするガラス窓結露防止方法であり、また前記の結露防止方法においてフィルムシートをガラス窓に密着させかつ左右に移動させ結露により生ずる水滴を防止するガラス窓結露防止方法であるから、従来不可能・困難とされていたガラス窓の結露で発生する水滴を簡単容易に除去することができる。
【０００９】
また本発明の最良な実施形態は、筒体の上下面に座金及びストッパー付のボルトを取付けた筒体にフィルムシートを着装し、該フィルムシート付の筒体を回動してフィルムシートの左右往復移動を可能にしてなることを特徴とするガラス窓結露防止器具であり、また前記の結露防止器具において器具本体に装着されているフィルムシートをガラス窓の内側へ密着状態に被覆しかつ左右に移動させるガラス窓結露防止器具であり、また前記の結露防止器具において器具本体に取付られているボルトを調整して窓枠の上下に器具本体を固着しかつ着脱を自在にしてなるガラス窓結露防止器具であり、更に前記の結露防止器具において器具本体のフィルムシートに防犯ブザーを取付けかつガラス窓との着脱を自在してなるガラス窓結露防止器具であるから、器具そのものの構造が簡単でしかもプラスチック等の安い材料で量産加工が可能である。
【実施例１】
【００１０】
以下図面に従って、本発明のガラス窓結露防止器具について説明する。
【００１１】
図１乃至図４は、本発明からなるガラス窓結露防止器具を示したものであり、１はそのガラス窓結露防止器具本体である。このガラス窓結露防止器具本体１は、筒体２、２の上下端面にストッパ５、５付のボルト３、３の先端に固定金具４、４を取付け、この固定金具４、４を介して窓枠７、７に固定し、更に座金６、６を介して窓枠７、７に着脱自在に取付られている。他方、左右に固定される筒体２、２にはフィルムシートＡが装着されている。このフィルムシートＡは、ガラス窓８を全面に覆せるように張設されているので、常に部屋の内側ガラス窓８がフィルムシートＡによって熱か適温に保たれている。この適温状態によって、外気との温度差による結露現象により生ずる水滴を防止することができる。更に、左右の筒体２、２を回動することによってフィルムシートＡをいつでも左右に移動させて常に新しいフィルムシートＡ面をガラス窓７に密着させることができるので、常時ガラス窓に発生する水滴を未然に防止させる効果も有する。更に、ここに使用されているフィルムシートＡは、ポリ袋用などの安い材質にすることによって低コストのフィルムシートを量産加工することができるので、経済的・実用的な防止器具を提供することができる。また、このフィルムシートＡに色・絵などでデザイン化するこによって、室内装飾用のカーテンレースとしても活用することができる。
【００１２】
図５は、本発明のガラス窓結露防止器具に防犯ブザーを取付けた状態を示したものである。この防犯ブザーＢは、ガラス窓結露防止器具本体１の下側又は上側に取付けてあり、ここに使用されている防犯ブザーは一般的に使用されているものでよいが、フィルムシートＡに振れたら作動しブザーが発信されることが条件となる。この防犯ブザーＢを取付けることによって、結露防止以外に防犯効果を兼用することができる器具を提供することができる。
【図面の簡単な説明】
【００１３】
【図１】本発明のガラス窓結露防止器具を示した全体斜視図。
【図２】本発明のガラス窓結露防止器具を窓枠に着脱する方法を示した説明概要図。
【図３】図１に示した本発明のガラス窓結露防止器具を示した拡大断面図。
【図４】図３に示した本発明のガラス窓結露防止器具の一部拡大説明図。
【図５】本発明のガラス窓結露防止器具に防犯ブザーを取付けた説明図。
【符号の説明】
【００１４】
１  ガラス窓結露防止器具本体    ２  筒体
３  ボルト                      ４  固定金具
５  ストッパ                    ６  座金
７  窓枠                        ８  ガラス窓
Ａ  フィルムシート              Ｂ  防犯ブザー
【図１】
2006283511.tif 000003
【図２】
2006283511.tif 000004
【図３】
2006283511.tif 000005
【図４】
2006283511.tif 000006
【図５】
2006283511.tif 000007